(57)【要約】【課題】車載機器のフロントパネルに設けられ、各種の操作を行なうための文字列の表示を行なう表示装置において、その操作性を向上し、表示できる領域の文字数に限界があっても、設定項目の文字の長さの限界を無くすようにし、またユーザが設定項目について、取扱い説明書等を見なくても直観的に設定できるようにする。【解決手段】表示装置１３によって表示すべき文字列の数が表示可能文字数よりも多い場合には、設定項目と切換え項目の内の設定項目のスクロールを行なうとともに、切換え項目については静止状態で表示を行なう。【選択図】図６
2007298888.tif 000002
【特許請求の範囲】
【請求項１】
車載機器のフロントパネルに設けられ、操作を行なうための文字列の表示を行なう表示装置において、
操作の種類を示す設定項目形成手段と、
操作の選択を行なう切換え項目形成手段と、
前記設定項目形成手段によって形成される設定項目の文字列の数と切換え項目形成手段によって形成される切換え項目の文字列の数との和がこの表示装置の表示可能文字数より多いかどうかを比較する比較手段と、
前記設定項目の文字列をスクロールさせるスクロール手段と、
を有し、前記比較手段によって前記文字列の和が表示可能文字数より多い場合に前記スクロール手段によって前記設定項目の文字列をスクロール表示することを特徴とする表示装置。
【請求項２】
切換え項目の文字列の数が所定値以下のときには、表示可能文字数から前記切換え項目の文字列の数を差引いた値を設定項目の文字列の最大使用字数とし、実際の設定項目の文字列の字数が前記最大使用字数より大きい場合に、前記設定項目の文字列をスクロール表示することを特徴とする請求項１に記載の表示装置。
【請求項３】
設定項目の文字列の内容がＯＮまたは有効の場合と、ＯＦＦまたは無効の場合とで、表示する文字列の色を変えることを特徴とする請求項１に記載の表示装置。
【請求項４】
車両のインストルメントパネルあるいはコンソールパネルに装備される所定の規格の大きさのオーディオ装置の表示装置であることを特徴とする請求項１に記載の表示装置。
【請求項５】
前記オーディオ装置がディスク状記録媒体の再生を行なうディスクプレーヤであることを特徴とする請求項１に記載の表示装置。
【請求項６】
車載機器のフロントパネルに設けられ、操作を行なうための文字列の表示を行なう表示装置において、
操作の種類とその略称を示す設定項目形成手段と、
操作の選択を行なう切換え項目形成手段と、
前記設定項目形成手段によって形成される設定項目の文字列の数と前記切換え項目形成手段によって形成される切換え項目の文字列の数との和がこの表示装置の表示可能文字数より多いかどうかを比較する比較手段と、
前記設定項目の文字列と切換え項目の文字列とをスクロール表示させるスクロール手段と、
を有し、前記比較手段によって前記文字列の和が表示可能文字数より多い場合に前記スクロール手段によって前記設定項目の文字列と前記切換え項目の文字列とをスクロール表示するとともに、入力操作の動作が行なわれると、設定項目の略称表示と切換え項目の表示とが行なわれることを特徴とする表示装置。
【請求項７】
スクロール表示中に操作が行なわれると、略称による設定項目の文字列と、切換え項目の文字列とが、表示可能文字数の範囲内で静止状態で表示されることを特徴とする請求項６に記載の表示装置。
【請求項８】
車両のインストルメントパネルあるいはコンソールパネルに装備される所定の規格の大きさのオーディオ装置の表示装置であることを特徴とする請求項６に記載の表示装置。
【請求項９】
前記オーディオ装置がディスク状記録媒体の再生を行なうディスクプレーヤであることを特徴とする請求項６に記載の表示装置。
【請求項１０】
車載機器のフロントパネルに設けられた表示装置によって操作を行なう文字列の表示方法において、
設定項目形成手段によって操作の種類を示す設定項目の文字列を形成し、
切換え項目形成手段によって操作の選択を行なう切換え項目の文字列を形成し、
前記設定項目の文字列の数と前記切換え項目の文字列の数の和がこの表示装置の表示可能文字数より多いかどうかを比較手段によって比較し、前記文字列の和が表示可能文字列より多い場合に前記設定項目の文字列をスクロール表示することを特徴とする表示方法。
【請求項１１】
車載機器のフロントパネルに設けられた表示装置によって複数の操作を行なう文字列の表示方法において、
設定項目形成手段によって操作の種類とその略称を示す設定項目の文字列を形成し、
切換え項目形成手段によって操作の選択を行なう切換え項目の文字列を形成し、
前記設定項目の文字列の数と前記切換え項目の文字列の数の和がこの表示装置の表示可能文字数より多いかどうかを比較手段によって比較し、前記文字列の和が表示可能文字列より多い場合に前記設定項目の文字列と前記切換え項目の文字列とをスクロール表示するとともに、入力操作の動作が行なわれると、設定項目の略称表示と切換え項目の表示とが行なわれることを特徴とする表示方法。
【発明の詳細な説明】
【技術分野】
【０００１】
本発明は表示装置および表示方法に係り、とくに車載機器のフロントパネルに設けられ、複数の操作を行なうための文字列の表示を行なう表示装置および表示方法に関する。
【背景技術】
【０００２】
自動車のインストルメントパネルあるいはコンソールパネルであって、運転席と助手席との間の部位にオーディオ装置が装備される。オーディオ装置は、複数のユニットから構成され、各ユニットがそれぞれ所定の規格（１ＤＩＮ：Ｄｅｕｔｓｃｈｅ  Ｉｎｄｕｓｔｒｉｅ  Ｎｏｒｍｅｎ  ドイツ工業規格）から構成されている。このようなオーディオ装置としては、ラジオ受信機、テーププレーヤ、ディスクプレーヤ等である。このようなオーディオソースからの音声信号をドアの内部に設けられたスピーカ等によって再生することにより、ドライブをしながら音楽を楽しんだり、あるいはラジオ放送を聴いたりすることが可能になる。
【０００３】
このような車載のオーディオ装置は、その機能が次第に多機能になっている。ところが１ＤＩＮの規格のオーディオ装置は、そのフロントパネルに設けられる表示領域が限られており、とくに蛍光表示管を用いて表示を行なう場合には、蛍光表示管の数が表示可能文字数になり、これによって表示すべき文字数に制限を生ずる。そして、いろいろな機能の設定を行なう必要があるために、直観的に分かり易いユーザインターフェースを考慮して、設定項目を略称で表示して切換え項目とともに１行で表示させる方法が各種試みられている。例えば特許第３３１２６３２号公報や特開平１０−２４０２０６号公報には、楽曲名などの記録媒体から読出されて表示部の表示に供されるべき文字情報を順次スクロール表示させて表示するようにしている。
【０００４】
しかるに表示可能文字数よりも多い文字数の表示を単に順次スクロールさせて表示するだけであると、その項目が何を設定するものなのかをくみ取ることができないものが多くなり、ユーザは結局取扱い説明書等を見なければ操作できなくなる。すなわち従来の車載機器の機能設定画面では、１行の中で設定項目と切換え項目とを表示する構成を採っており、設定項目の略称ではその機能が何を設定するものかが、分かり難い問題があった。また、ユーザがその機能を認識するために取扱い説明書を見直すと、車両の運転の安全性にも問題を生ずる可能性がある。
【特許文献１】特許第３３１２６３２号公報
【特許文献２】特開平１０−２４０２０６号公報
【特許文献３】特許第３６０６２６１号公報
【発明の開示】
【発明が解決しようとする課題】
【０００５】
本願発明は、表示できる領域あるいは文字数に限界があっても、設定項目の文字列の長さの限界がなくなるようにした表示装置および表示方法を提供することである。
【０００６】
本願発明の別の課題は、操作性が改善、向上する表示装置を提供することである。
【０００７】
本願発明のさらに別の課題は、ユーザが設定項目について、取扱い説明書を見なくても直観的に設定することが可能であって、安全性が向上する表示装置および表示方法を提供することである。
【０００８】
本願発明の上記の課題および別の課題は、以下に述べる本願発明の技術的思想、およびその実施の形態によって明らかにされる。
【課題を解決するための手段】
【０００９】
本願の主要な発明は、車載機器のフロントパネルに設けられ、操作を行なうための文字列の表示を行なう表示装置において、
操作の種類を示す設定項目形成手段と、
操作の選択を行なう切換え項目形成手段と、
前記設定項目形成手段によって形成される設定項目の文字列の数と切換え項目形成手段によって形成される切換え項目の文字列の数との和がこの表示装置の表示可能文字数より多いかどうかを比較する比較手段と、
前記設定項目の文字列をスクロールさせるスクロール手段と、
を有し、前記比較手段によって前記文字列の和が表示可能文字数より多い場合に前記スクロール手段によって前記設定項目の文字列をスクロール表示することを特徴とする表示装置に関するものである。
【００１０】
ここで、切換え項目の文字列の数が所定値以下のときには、表示可能文字数から前記切換え項目の文字列の数を差引いた値を設定項目の文字列の最大使用字数とし、実際の設定項目の文字列の字数が前記最大使用字数より大きい場合に、前記設定項目の文字列をスクロール表示してよい。また設定項目の文字列の内容がＯＮまたは有効の場合と、ＯＦＦまたは無効の場合とで、表示する文字列の色を変えてよい。また車両のインストルメントパネルあるいはコンソールパネルに装備される所定の規格の大きさのオーディオ装置の表示装置であってよい。また前記オーディオ装置がディスク状記録媒体の再生を行なうディスクプレーヤであってよい。
【００１１】
本願の別の主要な発明は、車載機器のフロントパネルに設けられ、操作を行なうための文字列の表示を行なう表示装置において、
操作の種類とその略称を示す設定項目形成手段と、
操作の選択を行なう切換え項目形成手段と、
前記設定項目形成手段によって形成される設定項目の文字列の数と前記切換え項目形成手段によって形成される切換え項目の文字列の数との和がこの表示装置の表示可能文字数より多いかどうかを比較する比較手段と、
前記設定項目の文字列をスクロール表示させるスクロール手段と、
を有し、前記比較手段によって前記文字列の和が表示可能文字数より多い場合に前記スクロール手段によって前記設定項目の文字列と前記切換え項目の文字列とをスクロール表示するとともに、入力操作の動作が行なわれると、設定項目の略称表示と切換え項目の表示とが行なわれることを特徴とする表示装置に関するものである。
【００１２】
ここで、スクロール表示中に操作が行なわれると、略称による設定項目の文字列と、切換え項目の文字列とが、表示可能文字数の範囲内で静止状態で表示されてよい。また車両のインストルメントパネルあるいはコンソールパネルに装備される所定の規格の大きさのオーディオ装置の表示装置であってよい。また前記オーディオ装置がディスク状記録媒体の再生を行なうディスクプレーヤであってよい。
【００１３】
表示方法に関する主要な発明は、車載機器のフロントパネルに設けられた表示装置によって操作を行なう文字列の表示方法において、
設定項目形成手段によって操作の種類を示す設定項目の文字列を形成し、
切換え項目形成手段によって操作の選択を行なう切換え項目の文字列を形成し、
前記設定項目の文字列の数と前記切換え項目の文字列の数の和がこの表示装置の表示可能文字数より多いかどうかを比較手段によって比較し、前記文字列の和が表示可能文字列より多い場合に前記設定項目の文字列をスクロール表示することを特徴とする表示方法に関するものである。
【００１４】
表示方法に関する別の主要な発明は、車載機器のフロントパネルに設けられた表示装置によって操作を行なう文字列の表示方法において、
設定項目形成手段によって操作の種類とその略称を示す設定項目の文字列を形成し、
切換え項目形成手段によって操作の選択を行なう切換え項目の文字列を形成し、
前記設定項目の文字列の数と前記切換え項目の文字列の数の和がこの表示装置の表示可能文字数より多いかどうかを比較手段によって比較し、前記文字列の和が表示可能文字列より多い場合に前記設定項目の文字列と前記切換え項目の文字列とをスクロール表示するとともに、入力操作の動作が行なわれると、設定項目の略称表示と切換え項目の表示とが行なわれることを特徴とする表示方法に関するものである。
【発明の効果】
【００１５】
本願の主要な発明は、車載機器のフロントパネルに設けられ、操作を行なうための文字列の表示を行なう表示装置において、操作の種類を示す設定項目形成手段と、操作の選択を行なう切換え項目形成手段と、設定項目形成手段によって形成される設定項目の文字列の数と切換え項目形成手段によって形成される切換え項目の文字列の数との和がこの表示装置の表示可能文字数より多いかどうかを比較する比較手段と、設定項目の文字列をスクロールさせるスクロール手段と、を有し、比較手段によって文字列の和が表示可能文字数より多い場合にスクロール手段によって設定項目の文字列をスクロール表示するようにしたものである。
【００１６】
従ってこのような表示装置によると、文字列の和が表示可能文字列より多い場合には、スクロール手段によって設定項目の文字列がスクロール表示されることになる。ここで切換え項目の文字列は必ずしも一緒にスクロール表示しなくてよいために、見易くなるとともに操作性が改善されることになる。
【００１７】
別の主要な発明は、車載機器のフロントパネルに設けられ、操作を行なうための文字列の表示を行なう表示装置において、操作の種類を示す設定項目形成手段と、操作の選択を行なう切換え項目形成手段と、設定項目形成手段によって形成される設定項目の文字列の数と切換え項目形成手段によって形成される切換え項目の文字列の数との和がこの表示装置の表示可能文字数より多いかどうかを比較する比較手段と、設定項目の文字列と切換え項目の文字列とをスクロール表示させるスクロール手段と、を有し、比較手段によって文字列の和が表示可能文字数より多い場合にスクロール手段によって設定項目の文字列と切換え項目の文字列とをスクロール表示するとともに、入力操作の動作が行なわれると、設定項目の略称表示と切換え項目の表示とが行なわれるようにしたものである。
【００１８】
従ってこのような表示装置によると、表示すべき文字列の和が表示可能文字列よりも多い場合には、設定項目の文字列と切換え項目の文字列とがともにスクロール表示されるとともに、入力操作の動作が行なわれると設定項目の略称表示と切換え項目の表示とが行なわれるようになり、これによって長い文字列の表示と、操作性の向上とを両立させることが可能になる。
【発明を実施するための最良の形態】
【００１９】
以下本願発明を図示の一実施の形態によって説明する。本実施の形態は、車載用のＣＤプレーヤに適用したものであって、図１はこのＣＤプレーヤを示している。すなわち車両のインストルメントパネルあるいはコンソールパネルの挿入口に挿入される１ＤＩＮの大きさのＣＤプレーヤになっている。
【００２０】
図１に示すように、このＣＤプレーヤは偏平な直方体状をなす筐体５を備え、この筐体５の前面側がフロントパネル６によって構成される。そしてフロントパネル６にはその下側の部分に横長のディスク挿入口７が形成されている。ディスク挿入口７の内側には上下一対の引込みローラ８が取付けられており、これらの引込みローラ８によってＣＤ（Ｃｏｍｐａｃｔ  Ｄｉｓｃ）を引込んで演奏位置に導くようにしている。またディスク挿入口７の上側には横長の表示部１３が設けられ、この表示部１３によって所定の表示を行なうようにしている。そして表示部１３の両側には操作釦９が取付けられており、各種の操作を可能にしている。
【００２１】
図３はこのディスクプレーヤのシステム構成をブロックによって示している。ディスクプレーヤに挿入されるディスクは、プレーヤ部１６に装填され、再生動作される。このディスクとしては、ＣＤ−ＤＡ（ＣＤデジタルオーディオ）のようにとくに文字情報はディスクに記憶されていないものでもよく、また例えばＣＤテキストやＭＤ（Ｍｉｎｉ  Ｄｉｓｃ）などのように、主たる音声情報の他に、ディスクに収録されている各トラックやディスク全体に対応する文字情報、もしくは独立した文字情報などが記録されるディスクであってよい。
【００２２】
プレーヤ部１６には、ディスクを装填、排出するためのローディング機構、ディスク回転駆動機構、光学ピックアップ機構、ＲＦマトリクスアンプなどが設けられ、ディスク回転駆動機構によってディスクをＣＡＶ（Ｃｏｎｓｔａｎｔ  Ａｎｇｕｌａｒ  Ｖｅｌｏｃｉｔｙ）もしくはＣＬＶ（Ｃｏｎｓｔａｎｔ  Ｌｉｎｅａｒ  Ｖｅｌｏｃｉｔｙ）方式で回転させた状態で光学ピックアップ機構からレーザ光を照射し、その反射光に応じた電流を得ることで、ディスクからの情報を読出す。反射光の検出情報である電流信号はＲＦマトリクスアンプにおいて電流−電圧変換、増幅、演算処理等が施され、各種の信号が生成される。
【００２３】
プレーヤ部１６内のＲＦ（Ｒａｄｉｏ  Ｆｒｅｑｕｅｎｃｙ）マトリクスアンプでは、再生ＲＦ信号、フォーカスエラー信号、トラッキングエラー信号等が生成されるが、これらのＲＦマトリクスアンプの出力はデコーダ部１７およびサーボ部２０に供給される。
【００２４】
サーボ部２０はＲＦマトリクスアンプから供給されたフォーカスエラー信号、トラッキングエラー信号や、デコーダ部１７からのスピンドルエラー信号等から、フォーカス、トラッキング、スレッド、スピンドルの各種のサーボドライブ信号を生成し、プレーヤ部１６のディスク再生動作に関するサーボ動作を実行させる。プレーヤ部１６（ＲＦマトリクスアンプ）から出力される再生ＲＦ信号はデコーダ部１７に供給される。デコーダ部１７では２値化、復調、エラー訂正処理等を行なって、ディスクから読取られた情報を音声データ形態にデコードする。さらに、デコーダ部１７ではサブコード、アドレスデータの抽出、回転速度情報の抽出などを行ない、これらの情報をコントローラ１１やサーボ部２０に供給する。またディスクがＭＤやＣＤテキストとされるシステムの場合は、ディスクの所定のエリア（ＴＯＣ領域など）に記録されている文字情報や、サブコードデータとして記録されている文字情報などのデコードも行ない、これらの文字情報をコントローラ１１に供給する。
【００２５】
デコーダ部１７から出力されるデジタル音声データは、音声処理部１８でイコライジング、リバーブ、音量調整などの音響処理が行なわれた後、Ｄ／Ａ（Ｄｉｇｉｔａｌ  ｔｏ  Ａｎａｌｏｇ）変換器１９でアナログ音声信号とされ、端子２１から所定の音声出力部位に供給される。例えば音量調節回路、増幅回路を介してスピーカまたはヘッドホン出力端子に供給され、音声出力されることになる。
【００２６】
再生時の各種動作はマイクロコンピュータによって構成されるコントローラ１１により制御される。例えば再生開始、終了、トラックアクセス、早送り再生、早戻し再生などの動作は、コントローラ１１がサーボ部２０やプレーヤ部１６の動作を制御することで実現される。
【００２７】
操作部１５には、ユーザが各種操作を行なうための操作キー９（図２参照）が設けられている。例えば再生キー、トラックアクセスキー、停止キーなどが形成される。また表示動作に関して、特定の内容の表示を指示するための表示モードキーなどが設けられている。コントローラ１１は操作部１５からの操作情報と、内部ＲＯＭに記憶された制御プログラムに応じて各部の制御を行なうことになる。
【００２８】
また表示部１３は、例えば図５に示す蛍光表示管式表示装置１３や液晶ディスクプレイなどによって形成されるもので、再生時にトラックナンバ、再生進行時間、動作状態などをコントローラ１１の制御に基づいて表示する。コントローラ１１は表示すべきデータ内容（文字列等）を表示ドライバ１２に供給する。表示ドライバ１２は表示部１３における表示動作のために、コントローラ１１から供給された表示データに基づいて表示駆動信号を生成し、表示部１３に供給して表示を実行させる。
【００２９】
より詳しくは、図４に示すように表示ドライバ１２には、表示ドライブ回路１２ｄ、表示ＲＡＭ１２ｃ、フォントＲＯＭ１２ｂ、表示コントローラ１２ａが搭載されている。そしてコントローラ１１からの指示は表示コントローラ１２ａに供給される。表示コントローラ１２ａはフォントＲＯＭ１２ｂを用いて表示すべき文字データのドットイメージを得る。また表示ＲＡＭ１２ｃに表示すべきグラフィックや文字データについてのドットデータを展開する。表示ドライブ回路１２ｄは、表示ＲＡＭ１２ｃに展開されているドットイメージに応じてフルドット表示デバイスあるいは略称表示デバイスとしての表示部１３の各ドットのＯＮ／ＯＦＦ（電圧印加）を行ない、実際の表示を実行させる。また、表示コントローラ１２ａは、コントローラ１１から供給された文字情報をドットイメージに展開するだけでなく、表示ＲＡＭ１２ｃ上のドットイメージを所定時間毎にずらして行くことでスクロール表示を実行させることもできる。
【００３０】
図３中の管理情報メモリ１４には、ディスクのＴＯＣ領域やサブコードから読出された管理情報が格納される。コントローラ１１は管理情報メモリ１４に格納された管理情報を用いてディスクの再生動作制御を行なうことになる。また、文字情報等の表示動作に関してディスクから読出された情報も、この管理情報メモリ１４に格納され、コントローラ１１は必要に応じて管理情報メモリ１４に格納されている所定の文字列を表示ドライバ１２に供給し、表示動作を実行させることができる。
【００３１】
略称メモリ２２には、複数の特定の文字に対して、その省略形としての文字データが対応テーブル形式で記憶されている。表１は表示可能な項目の例を示しており、コントローラ１１は、表１の左欄に記載された略称を略称メモリ２２を用いて表示すべき文字列の中の１または複数のある文字を略称形式に変更し、文字列全体としての文字数を少くしている。
【００３２】
【表１】
2007298888.tif 000003
【００３３】
表示部１３で表示すべき文字内容としては、例えば音響処理部１８における音響処理に対する操作をユーザが行なう場合に、その時々の操作モード状態や設定状態などを伝えるための文字や、再生動作モード（例えばリピート再生やシャッフル再生など）に関する文字、さらにはディスクから読出された文字情報など、多岐にわたる。略称メモリ２２には、音響処理や再生モードなどに関して表示する可能性のある文字や、もしくは一般名称、固有名詞などで省略表示が可能な各種の文字について、それぞれ１または複数の省略形が、省略形ナンバに従って文字数が多い順に記憶されていてよい。
【００３４】
次に表示装置１３による表示の具体的な動作を順を追って説明する。図６に示すように、機能設定画面に入ると（Ｓ１１）、文字列の長さの判定が行なわれ、表示可能文字数と表示する文字列との比較が行なわれる（Ｓ１２）。ここで肯定の場合には、設定項目のスクロールが開始が行なわれる（Ｓ１３）。これによって設定項目のスクロール表示と切換え項目の静止表示とが同時に行なわれる（Ｓ１４）。すなわちこの場合には、設定項目のみがスクロール表示され、切換え項目は動かないで表示されることになる。Ｓ１２において否定の場合には、Ｓ１５のステップに移行し、略称なしの設定項目と切換え項目の画面が行なわれる。すなわち表示可能文字列よりも短い表示を行なう場合には、設定項目と切換え項目の何れもが静止表示される。
【００３５】
図７は上記図６に示す動作において、Ｓ１４のステップにおける表示部１３の画面の表示動作を示しており、設定項目のスクロール表示と、切換え項目の静止表示とを示している。
【００３６】
図８は上記図６に示す操作の変形例を示している。この変形例においては、設定画面に入ると（Ｓ２１）、切換え項目の文字列が所定の字数、例えば４字以下かどうかの判断を行なう（Ｓ２２）。この判断で肯定の場合には、Ｓ２３に移行する。Ｓ２３では、設定項目の文字数を最大可能文字数、例えば８文字から切換え項目の文字数を差引いた値に設定する。これに対してＳ２２において否定の場合には、切換え項目の文字列で使える表示の字数を４文字とし、設定項目の表示字数も４文字とする。またこのときには切換え項目はスクロール表示になる。
【００３７】
Ｓ２３およびＳ２４の何れの場合においても、次にＳ２５に移行する。Ｓ２５では、設定項目の文字列の長さの判定が行なわれ、設定項目の文字数が設定項目の文字列の字数よりも小さいかどうかの判断が行なわれる。ここで肯定の場合には、設定項目のスクロール表示が行なわれ（Ｓ２６）、Ｓ２７に示すような設定項目のスクロール表示と、切換え項目のスクロール表示とが互いに独立に行なわれる。Ｓ２５において否定の場合には、Ｓ２８に移行する。ここでは略称を用いない設定項目の表示と切換え項目の表示とが行なわれる。
【００３８】
次に図６に示す実施の形態の別の変形例を図９によって説明する。この実施の形態は、設定画面に入った後（Ｓ３１）、Ｓ３２、３３、３４の処理を行ない、この後に文字列の長さの判定（Ｓ３５）に移行するようにしたものである。Ｓ３２においては、設定項目の内容がＯＮあるいは有効かどうかの判断を行ない、ここで肯定の場合には、設定項目の文字列を、例えば青色にする（Ｓ３３）。これに対してＳ３２で否定の場合には、設定項目の文字列の色を、例えば赤にする（Ｓ３４）。その後のＳ３５、３６、３７、３８の構成は、図６におけるＳ１２、１３、１４、１５と同一である。
【００３９】
このような変形例によると、設定項目の内容がＯＮあるいは有効の場合と、ＯＦＦあるいは無効の場合とで、表示装置１３に表示される表示の色が、変化することになる。
【００４０】
次に別の実施の形態を図１０および図１１によって説明する。この実施の形態は、機能設定画面に入ると（Ｓ４１）、文字列の長さの判定が行なわれ、表示可能文字数と文字列との比較が行なわれる（Ｓ４２）。ここで肯定の場合には、設定項目のスクロール表示が行なわれる（Ｓ４３）。そしてこの後に、ユーザ操作が入ったかどうかの判断を行ない（Ｓ４４）、ここで否定の場合には、Ｓ４３に戻る。またＳ４４において肯定の場合には、Ｓ４５に移行し、設定項目の略称表示と切換え項目の表示とが行なわれる。この表示は静止表示である。従ってこのような表示によって、操作性が改善される。しかも設定項目の略称表示は、すでにＳ４３で行なっているスクロール表示に対応するものであるために、たとえここで略称表示を行なっても、その内容をユーザは容易に認識できるようになる。またＳ４２において否定の場合には、略称なしの設定項目の表示と、切換え項目の表示とが同時に行なわれる（Ｓ４６）。
【００４１】
図１１は図１０に示す動作の内の、とくにＳ４３、４４、４５の動作を示している。すなわち文字列の長さが表示可能文字列よりも長い場合には、設定項目と切換え項目の連続的なスクロール表示が行なわれるとともに、ユーザ操作が入ると、設定項目の略称表示と切換え項目の画面とに移行することになる。
【００４２】
以上本願発明を図示の実施の形態によって説明したが、本願発明は上記実施の形態によって限定されることなく、本願に含まれる発明の技術的思想の範囲内において各種の変更が可能である。例えば上記実施の形態は、車載用のオーディオ装置であるディスクプレーヤの表示装置に関するものであるが、本願発明はディスクプレーヤのオーディオ装置に限定されることなく、その他各種のオーディオ装置に広く適用可能である。
【産業上の利用可能性】
【００４３】
本願発明は、車載用のオーディオ装置の表示装置に適用することが可能である。
【図面の簡単な説明】
【００４４】
【図１】車載用のディスクプレーヤの外観斜視図である。
【図２】同ディスクプレーヤのフロントパネルの部分の正面図である。
【図３】ディスクプレーヤのシステム構成を示すブロック図である。
【図４】表示装置の駆動部を示すブロック図である。
【図５】表示装置の蛍光表示管の配列を示す正面図である。
【図６】第１の実施の形態の動作を示すフローチャートである。
【図７】同表示部の表示動作を示す正面図である。
【図８】変形例の動作を示すフローチャートである。
【図９】別の変形例の動作を示すフローチャートである。
【図１０】第２の実施の形態の動作を示すフローチャートである。
【図１１】同表示部の動作を示す正面図である。
【符号の説明】
【００４５】
５…筐体、６…フロントパネル、７…ディスク挿入口、８…引込みローラ、９…操作釦、１１…コントローラ、１２…表示ドライバ、１３…表示部、１４…管理情報メモリ、１５…操作部、１６…プレーヤ部、１７…デコーダ部、１８…音響処理部、１９…Ｄ／Ａ変換器、２０…サーボ部、２１…端子、２２…省略型メモリ
【図１】
2007298888.tif 000004
【図２】
2007298888.tif 000005
【図３】
2007298888.tif 000006
【図４】
2007298888.tif 000007
【図５】
2007298888.tif 000008
【図６】
2007298888.tif 000009
【図７】
2007298888.tif 000010
【図８】
2007298888.tif 000011
【図９】
2007298888.tif 000012
【図１０】
2007298888.tif 000013
【図１１】
2007298888.tif 000014